(57)【要約】頭皮部位の毛髪ストランドを滑らかでストレートにするヘアスタイリング装置であって、ヒンジによって取り付けられて可動状態で対向している２つのアームであって、それぞれが毛髪ストランド把持手段を備える２つのアームと、前記把持手段（１）に組み込まれ、前記毛髪ストランドに熱を提供する加熱手段（２１）と、約３０μｍ未満のＤｖ（９０）を有する液滴として送達される不揮発性スタイリング活性物質を送達し、前記把持手段（１）の送達手段と流体連通する貯蔵器（６）とを組み合わせて備えるヘアスタイリング装置。頭皮部位の毛髪ストランドをストレートにする方法であって、ストレートにされる毛髪が把持手段（１）間を張力がかかった状態で通過し、前記把持手段（１）が、加熱手段（２１）と、不揮発性化合物を含むスタイリング活性物質とを提供し、前記スタイリング活性物質が、約３０μｍ未満のＤｖ（９０）を有する液滴として送達される方法。
2005530583.tif 000002
【特許請求の範囲】
【請求項１】
頭皮部位の毛髪ストランドを滑らかでストレートにするヘアスタイリング装置であって、
ａ）ヒンジによって取り付けられて可動状態で対向している２つのアームであって、それぞれが毛髪ストランド把持手段を備える２つのアームと、
ｂ）前記把持手段に組み込まれ、前記毛髪ストランドに熱を提供する加熱手段と、
ｃ）約３０μｍ未満のＤｖ（９０）を有する液滴として送達される不揮発性スタイリング活性物質を送達し、前記把持手段の送達手段と流体連通する貯蔵器と
を組み合わせて備えるヘアスタイリング装置。
【請求項２】
前記貯蔵器が、前記毛髪に送達される水を更に備える請求項１に記載のヘアスタイリング装置。
【請求項３】
約０．０２〜約４ｇ／分の水が前記毛髪に送達される請求項２に記載のヘアスタイリング装置。
【請求項４】
第２の貯蔵器を更に備える請求項１に記載のヘアスタイリング装置。
【請求項５】
前記第２の貯蔵器が水を備える請求項４に記載のヘアスタイリング装置。
【請求項６】
約０．０２〜約４ｇ／分の水が前記毛髪に送達される請求項５に記載のヘアスタイリング装置。
【請求項７】
前記把持手段が前記ヘアスタイリング装置の対向するつかみ具を備える請求項２に記載のヘアスタイリング装置。
【請求項８】
前記把持手段が、前記不揮発性スタイリング活性物質を収容する貯蔵器を備える請求項２に記載のヘアスタイリング装置。
【請求項９】
前記貯蔵器が、１つ以上の前記把持手段を通して前記毛髪ストランドと流体連通する請求項１に記載のヘアスタイリング装置。
【請求項１０】
前記貯蔵器が前記アームに内設される請求項１に記載のヘアスタイリング装置。
【請求項１１】
前記貯蔵器が、予め充填され取外し可能なカートリッジを備える請求項１に記載のヘアスタイリング装置。
【請求項１２】
前記貯蔵器が、第１の専用ジョイントを通して再充填できる請求項１に記載のヘアスタイリング装置。
【請求項１３】
前記貯蔵器が、前記スタイリング活性物質の送達手段と連通する請求項３又は６に記載のヘアスタイリング装置。
【請求項１４】
移送手段が、前記貯蔵器と、前記スタイリング活性物質を前記毛髪に送達する手段とを接続する請求項１３に記載のヘアスタイリング装置。
【請求項１５】
前記移送手段が、前記不揮発性スタイリング活性物質を吸上げることができる材料である請求項１４に記載のヘアスタイリング装置。
【請求項１６】
前記移送手段が、フェルト、フォーム、又は繊維束から成る群から選択される請求項１５に記載のヘアスタイリング装置。
【請求項１７】
前記移送手段がフェルトである請求項１６に記載のヘアスタイリング装置。
【請求項１８】
前記不揮発性スタイリング活性物質がキャリアを更に含む請求項３に記載のヘアスタイリング装置。
【請求項１９】
前記不揮発性スタイリング活性物質が、キャリア中に混和または分散できる請求項１８に記載のヘアスタイリング装置。
【請求項２０】
前記スタイリング活性物質が前記毛髪に送達された後、前記不揮発性スタイリング活性物質が液体又は半固体として残存する請求項１又は１９に記載のヘアスタイリング装置。
【請求項２１】
前記不揮発性スタイリング活性物質を前記毛髪に送達する手段が、約３０μｍ未満のＤｖ（９０）を有する液滴サイズを生じさせるキャリア蒸発手段を更に備える請求項１９に記載のヘアスタイリング装置。
【請求項２２】
頭皮部位の毛髪ストランドを滑らかでストレートにするヘアスタイリング装置であって、
ａ）ヒンジによって取り付けられて可動状態で対向している２つのアームであって、それぞれが毛髪把持手段を備え、前記把持手段の一方又は両方が加熱可能である２つのアームと、
ｂ）前記アームの一方又は両方と結合している加熱可能な蒸発プレートを備え、前記把持手段と流体連通する蒸発手段と、
ｃ）前記把持手段の一方又は両方と流体連通し、不揮発性スタイリング活性物質及びキャリアを収容する貯蔵器と、
ｄ）前記ヘアスタイリング装置と結合し、前記貯蔵器から蒸発手段にスタイリング活性物質を移送する手段と、
ｅ）前記蒸発手段と連通する加熱チャンバと、
ｆ）前記へアスタイリング装置と結合している電子機器と、
ｇ）貯蔵器内に収容され、不揮発性活性物質と更に揮発性キャリアとを含むスタイリング組成物と
を組み合わせて備え、
更に、約３０μｍ未満のＤｖ（９０）を有する液滴として送達される不揮発性活性物質を含むスタイリング組成物を送達するヘアスタイリング装置。
【請求項２３】
前記不揮発性活性物質が、キャリア中に混和または溶解できる請求項２２に記載のヘアスタイリング装置。
【請求項２４】
前記キャリアが、水、有機溶媒類、疎水性溶媒類及びこれらの混合物から成る群から選択される請求項２２に記載のヘアスタイリング装置。
【請求項２５】
前記キャリアが水である請求項２４に記載のヘアスタイリング装置。
【請求項２６】
前記不揮発性活性物質が、ポリアルキレングリコール類、ポリエチレン／ポリプロピレングリコールコポリマー類、アルコキシポリエチレングリコール類、ポリアルキレングリセリルエーテル類、脂肪酸類のポリアルキレングリコールエーテル類、脂肪族アルコール類のポリアルキレングリコールエーテル類、脂肪酸類のポリアルキレングリセリルエステル類、脂肪族アルコール類のポリアルキレングリセリルエーテル類、グリセリルアルキレート類、グリセリルアルキルエーテル類、グリコールアルキレート、ポリグリセロール類、ポリグリセロールエステル類、可溶性／分散性不揮発性シリコーンコポリオール類、ポリジメチコンコポリオール及びこれらの混合物から成る群から選択される請求項２２に記載のヘアスタイリング装置。
【請求項２７】
前記不揮発性活性物質が、約１９０〜約１５００の数平均分子量及び約５〜約３５の繰り返しアルキレンオキシドラジカルを有するポリアルキレングリコールであり、
前記繰り返しアルキレンオキシドラジカルのそれぞれが、約２〜約６の炭素数を有する請求項２６に記載のヘアスタイリング装置。
【請求項２８】
前記ポリアルキレングリコールが、エトキシポリエチレン／ポリプロピレングリコールコポリマー類、メトキシポリエチレン／ポリプロピレングリコールコポリマー類、プロポキシポリエチレン／ポリプロピレングリコールコポリマー類、ブトキシポリエチレン／ポリプロピレングリコールコポリマー類、ペントキシポリエチレン／ポリプロピレングリコールコポリマー類、トリグリセリン、ヘキサグリセリン、ＰＰＧ−４、ＰＰＧ−６、ＰＥＧ−５、ＰＥＧ−６、ＰＥＧ−８、ＰＥＧ−１２，ＰＥＧ−１４、ＰＥＧ−１８、ＰＥＧ−２０、ＰＥＧ−３２及びこれらの混合物から成る群から選択される請求項２７に記載のヘアスタイリング装置。
【請求項２９】
前記ポリエチレングリコールは、約４００〜約１０００の数平均分子量を有する請求項２８に記載のヘアスタイリング装置。
【請求項３０】
前記貯蔵器から前記加熱チャンバにスタイリング活性物質を移送する手段がフェルトである請求項２２に記載のヘアスタイリング装置。
【請求項３１】
前記フェルトが、組成物を吸上げることができる任意の多孔質材料である請求項３０に記載のヘアスタイリング装置。
【請求項３２】
前記フェルトが、前記加熱手段と約１０〜約４０００ｍｍ2の接触面積を有する請求項２２に記載のヘアスタイリング装置。
【請求項３３】
前記フェルトが、目の粗いフィルターから成る請求項３２に記載のヘアスタイリング装置。
【請求項３４】
前記貯蔵器が、約０．２６６ｋＰａ（２ｍｍＨｇ）〜約１３．３ｋＰａ（１００ｍｍＨｇ）の真空時に開放する弁を更に備える請求項２２に記載のヘアスタイリング装置。
【請求項３５】
前記加熱チャンバからの送達速度が、約０．１ｇ／分〜約４ｇ／分である請求項２２に記載のヘアスタイリング装置。
【請求項３６】
前記加熱チャンバが、前記スタイリング組成物を分配する複数列の穴を有する請求項２２に記載のヘアスタイリング装置。
【請求項３７】
前記加熱手段が、９０℃〜約２１０℃の温度範囲に加熱される請求項２２に記載のヘアスタイリング装置。
【請求項３８】
第２の貯蔵器を有する請求項２２に記載のヘアスタイリング装置。
【請求項３９】
前記第２の貯蔵器が水を含む請求項３８に記載のヘアスタイリング装置。
【請求項４０】
前記装置がどの方向に向けられても、前記貯蔵器が前記スタイリング活性物質を送達できる請求項２２に記載のヘアスタイリング装置。
【請求項４１】
ヘアケア操作に使用する物質の組成物であって、
不揮発性化合物及びキャリアを含み、
前記組成物が貯蔵器内に放出可能に保持され、
前記貯臓器が流体不透過性の壁を備え、
前記壁が、前記貯蔵器をヘアスタイリング装置に取外し可能に取り付ける、前記壁と結合した取り付け手段を有し、
前記貯蔵器が請求項１、２又は４のいずれか一項に記載のヘアスタイリング装置と流体連通する組成物。
【請求項４２】
前記貯蔵器が再充填できる請求項４１に記載のヘアケア操作に使用する物質の組成物。
【請求項４３】
前記貯蔵器が再充填できない請求項４１に記載のヘアケア操作に使用する物質の組成物。
【請求項４４】
頭皮部位の毛髪ストランドをストレートにする方法であって、
ストレートにされる毛髪が把持手段間を張力がかかった状態で通過し、
前記把持手段が、加熱手段と、不揮発性化合物を含むスタイリング活性物質とを提供し、
前記スタイリング活性物質が、約３０μｍ未満のＤｖ（９０）を有する液滴として送達される方法。
【請求項４５】
前記把持手段が、約０．０２〜約４ｇ／分の水を更に提供する請求項４４に記載の方法。
【請求項４６】
前記把持手段が、把持装置のつかみ具を備える請求項４４に記載の方法。
【請求項４７】
前記つかみ具が、一体の把持装置を提供するようにヒンジによって接続されている請求項４６に記載の方法。
【請求項４８】
前記把持装置が、前記スタイリング活性物質を収容する貯蔵器を備える請求項４４に記載の方法。
【請求項４９】
前記貯蔵器が、前記スタイリング活性物質を前記毛髪に送達する手段と連通する請求項４８に記載の方法。
【請求項５０】
更に、移送手段が、前記貯蔵器と、前記スタイリング活性物質を前記毛髪に送達する手段とを接続する請求項４９に記載の方法。
【請求項５１】
前記移送手段がフェルトである請求項５０に記載の方法。
【請求項５２】
前記スタイリング活性物質が、キャリアを更に含む請求項４４に記載の方法。
【請求項５３】
前記スタイリング活性物質が、キャリア中に混和または分散できる請求項５２に記載の方法。
【請求項５４】
前記スタイリング活性物質を前記毛髪に送達する手段が、約３０μｍ未満のＤｖ（９０）を有する液滴サイズを生じさせる前記スタイリング組成物の蒸発手段を更に備える請求項５３４に記載の方法。
【請求項５５】
前記スタイリング活性物質が前記毛髪に送達された後、前記不揮発性化合物が液体又は半固体として前記毛髪上に残存する請求項４４又は５４に記載の方法。
【請求項５６】
熱及び約３０μｍ未満のＤｖ（９０）を有する液滴として送達される不揮発性スタイリング活性物質の存在下で、使用者の頭皮部位の毛髪ストランドをストレートにする方法であって、
ａ）請求項１に記載のヘアスタイリング装置の前記把持手段間で、前記毛髪ストランドを把持することと、
ｂ）前記頭皮部位から離れる方向に、前記ストランドに沿って前記装置を引くことにより、前記毛髪ストランドに張力をかけることと、
ｃ）前記毛髪ストランドを解放し、任意に工程（ａ）及び（ｂ）を繰り返すことと
を備える方法。
【発明の詳細な説明】
【技術分野】
【０００１】
本発明は、ヘアスタイリング装置に関し、特に、不揮発性スタイリング活性物質を熱及び張力と組み合わせて使用し、毛髪に滑らかでストレートの外観を作り出すことができるヘアスタイリング装置に関する。
【背景技術】
【０００２】
毛髪をセット又はスタイリングするために蒸気を使用することが周知であり、熱の補助による毛髪のカール付け、ストレート化、及びセットをする際に得られる結果を改善するため、蒸気を放出する構造を有するヘアローラ、カール用アイロン、及びフラットアイロンなどの装置を提供する多くの試みがなされてきた。
【０００３】
これまでの試みには、へアスタイリング装置に揮発性の何らかの種類の活性物質を使用することが含まれた。しかし、揮発性成分である活性物質を使用する結果、非常に限られた、１日もたないヘアスタイルになってしまうことになる。
【発明の開示】
【発明が解決しようとする課題】
【０００４】
驚くべきことに、現在、ヘアスタイリング装置から不揮発性活性物質を送達すると、毛髪をより良好に、より均一に被覆できることが分かった。この手法により、毛髪に活性物質の薄い層を送達することができ、１日中長持ちするヘアスタイルが得られる。また、この手法では、活性物質の大きい凝集塊（局部的付着）や、あまり均一でない被覆を生じるムース、ジェル、及びスプレーなどのスタイリング製品形態の使用に関連する問題が生じない。また、驚くべきことに、スタイリング活性物質及び熱と組み合わせて送達される水分の使用により、毛髪の形を付け直してスタイリングし直す効果が改善されることが分かった。更に、水の使用によって、毛髪の形付けが容易になり、スタイリング活性物質の均一な分散が助けられる場合がある。
【課題を解決するための手段】
【０００５】
本発明は、頭皮部位の毛髪ストランドを滑らかでストレートにするヘアスタイリング装置に関し、本装置は、ヒンジによって取り付けられて可動状態で対向している２つのアームであって、それぞれが毛髪ストランド把持手段を備える２つのアームと、前記把持手段に組み込まれ、前記毛髪ストランドに熱を提供する加熱手段と、約３０μｍ未満のＤｖ（９０）を有する液滴として送達される不揮発性スタイリング活性物質を送達し、前記把持手段の送達手段と流体連通する貯蔵器とを組み合わせて備える。
【０００６】
本発明は、毛髪の形付けを容易にし、スタイリング活性物質の均一な分散を助ける水の使用に更に関する。本発明は、頭皮部位の毛髪ストランドをストレートにする方法に更に関し、ストレートにされる毛髪は把持手段間を張力がかかった状態で通過し、把持手段は加熱手段と、不揮発性化合物を含むスタイリング活性物質とを提供し、前記スタイリング活性物質は約３０μｍ未満のＤｖ（９０）を有する液滴として送達される。
【発明を実施するための最良の形態】
【０００７】
本明細書は、本発明を特に指摘し、明確に請求する請求項で完結するが、本発明は、同様の参照番号が同様の要素を表す添付図面と共に、好ましい実施形態についての以下の説明から、よりよく理解されると考えられる。
【０００８】
引用される全ての文献は、関連部分において、参考として本明細書に組み込まれるが、いずれの文献の引用も、それが本発明に関する先行技術であるという承認として解釈されるべきではない。
特に別途記載のない限り、全ての比率は重量比である。
別途記載される場合を除いて、分量、百分率、部分、及び比率を含む全ての量は、「約」という言葉により加減されるものと理解され、量は有効数字を示すことを意図しない。
別途記載される場合を除いて、冠詞「ａ」、「ａｎ」、及び「ｔｈｅ」は、「一又はそれ以上の」を意味する。
【０００９】
本発明は、本明細書に記載される発明の必須要素及び制限事項、並びに本明細書に記載される追加の若しくは任意の成分、構成成分、又は制限事項のいずれも含むことができるか、これらから成ることができるか、又はこれらから本質的になることができる。
全てのパーセンテージ、部及び比率は、別途明記されない限り、本発明の組成物の総重量を基準とする。列記する成分などに関する全てのこのような重量は、有効分の濃度に基づいており、そのため、市販の材料に含まれ得るキャリア又は副産物は含まない。本明細書では、特に別途記載のない限り、分子量は重量平均分子量とする。
任意に添加してもよいものを含めた本発明の方法の構成成分、並びに調製方法、及び使用方法について以下に詳述する。
【００１０】
本発明の他の利点及び新規な特徴は、本発明を実施するために想到される様々な態様を単に説明する以下の詳細な説明から、当業者には明白である。明らかとなるように、本発明では他の異なる態様が可能であり、これらは全て発明の趣旨及び範囲から逸脱しない。従って、図面及び説明は本質的に例示のためのものであり、制限するものではない。
次に本発明の様々な代表的実施形態を詳細に参照するが、そのうちの幾つかは添付図面にも表されており、図面全体を通して同様の数字は同じ要素を示す。
【００１１】
図１Ａ及び１Ｂは、一端でヒンジによって取り付けられることができ、ヒンジによって取り付けられた端部が支点となるようにばねの力で開放できるアームを備える把持手段（１）を備える、本発明のヘアスタイリング装置の非限定的な代表的実施形態を表す。把持手段（１）は、長手方向に張力を加えることができるように毛髪ストランドを解放可能に把持するため、ヒンジによって取り付けられて可動状態で対向し、手で握持できる２つのアームを備えてもよい。加熱プレート（２１）は、毛髪と接触する把持手段（１）の領域に配置される。把持手段（１）は、ピン（１１）及びスイッチ（７７）を更に備える。開放している把持手段（１）の角度は、アーム間に毛髪の分割部分を挿入するのに好適であり、装置を把持するのに好適である。毛髪の一分割部分は、一区分又は一セグメントの毛髪ストランドの集まりとすることができる。
【００１２】
図２Ａ及び２Ｂは、ヘアスタイリング装置の使用を明示する本発明のヘアスタイリング装置の非限定的な代表的実施形態を表し、線Ａの方向に張力がかかった状態で把持手段（１）間を通過させることによりストレートにされた後のウェーブのかかった毛髪を示す。図２Ａ及び２Ｂは、加熱プレート（２１）、ピン（１１）及びスイッチ（７７）を備える把持手段（１）を表し、毛髪の一分割部分は把持手段（１）の向きに対して垂直にストレートにされる。
【００１３】
図３Ａ及び３Ｂは、加熱手段（２）、送達手段（３）、移送手段（４）、及び貯蔵器（６）を提供する把持手段（１）を備える本発明のヘアスタイリング装置の非限定的な好ましい代表的実施形態を表す。図３Ａに示されるように、本発明のヘアスタイリング装置は、ヒンジによって取り付けられて可動状態で対向している２つのアームを備えてもよく、各アームは、長手方向に張力を加えることができるように、毛髪ストランドを解放可能に把持する毛髪ストランド把持手段（１）を備える。把持手段（１）は、「Ｖ」形を形成する。把持手段（１）は、一端でヒンジによって取り付けられることができ、ヒンジによって取り付けられた端部が支点となるようにばねの力で開放できるアームを備えてもよい。アームに圧縮力が加えられ、圧縮された把持手段（１）を通して毛髪を引張ることにより、毛髪に長手方向の張力が加えられるとき、把持手段（１）は毛髪を圧縮する。図３Ｂは、図３Ａの点線３Ｂに沿った、横方向拡大断面図である。説明の目的のため、図３Ｂでは、点線３Ｂの向こうにあるものは全て省略した。
【００１４】
加熱手段（２）は、把持手段（１）によって圧縮される毛髪に熱を供給する。加熱手段（２）は、９０℃〜約２１０℃の温度範囲に加熱されてもよい。貯蔵器（６）は、スタイリング活性物質を貯蔵し、それを送達手段（３）又は移送手段（４）がすぐに利用できるようにする。移送手段（４）は、スタイリング活性物質を貯蔵器（６）から送達手段（３）に運ぶ。従って、移送手段（４）は、貯蔵器（６）内のスタイリング活性物質を送達手段（３）が利用できるようにする。送達手段（３）は、把持手段（１）によって圧縮される毛髪にスタイリング活性物質を送達する。送達手段（３）は、スタイリング活性物質を小さい液滴に変化させるが、この小さい液滴の方が、現在のスタイリング製品形態（例えば、ムース、ジェルなど）からのスタイリング活性物質、又は従来のスプレー製品から得られるようなより大きな液滴からのスタイリング活性物質を送達して得られるものよりも、毛髪に送達されるのにより好適な形態である。このような状態のスタイリング活性物質は、非常に薄い層として毛髪により均一に付着し、効果をもたらすのに必要なスタイリング活性物質の濃度を低下させる。
送達手段（３）は、送達されるスタイリング活性物質の量を制御する。送達手段（３）は、移送手段（４）と直接接触するか、又はそれに近接している。
【００１５】
図４Ａ及び４Ｂは、加熱プレート（２１）、加熱チャンバ（３１）、移送手段（４）、蒸発プレート（３２）、貯蔵器（６）及び電子機器（７）を提供する把持手段（１）を備える、本発明のヘアスタイリング装置の非限定的な好ましい代表的実施形態を表す。図４Ａに示されるように、把持手段（１）は、一端でヒンジによって取り付けられ、ピン（１１）で接続することができ、ヒンジによって取り付けられた端部が支点となるようにばね（１２）の力で開放できるアームを備える。図４Ｂは、図４Ａの点線４Ｂに沿った、横方向拡大断面図である。説明の目的のため、図４Ｂでは、点線４Ｂの向こうにあるものは全て省略した。送達手段（３）（図３Ａ参照）は、加熱チャンバ（３１）と、蒸発プレート（３２）と、蒸気通路（３５）とを備える。ばね（１２）は、圧力が加えられるまで、把持手段の両方を開放した配置に保持する機能をする。ピン（１１）は、両方の端部で２つのアームを接続する。スタイリング活性物質を小さい液滴にするためにスタイリング活性物質を加熱する必要がある場合、蒸発手段（５）及び加熱チャンバ（３１）は送達手段（３）の一部として存在する（図３Ａ）。スタイリング活性物質は、また、スタイリング活性物質を溶解又は分散させることができる揮発性構成成分と共に存在する必要がある。蒸発手段（５）は、加熱チャンバ（３１）（図４Ａ）で取り囲まれ、移送手段（４）に近接しているか、又はそれと接触している蒸発プレート（３２）を備えてもよく、スタイリング活性物質に熱を加える。加熱手段（２）（図３Ａ）は、把持手段（１）間で圧縮される毛髪に熱を加える加熱プレート（２１）を備える。加熱プレート（２１）は、把持手段（１）の内側に配置される。加熱プレート（２１）の向きは、把持手段（１）の向きと平行に配置される。
【００１６】
把持手段（１）の向きと平行な加熱プレート（２１）の長さは、把持手段（１）によって圧縮される毛髪の一分割部分の幅を被覆することができる。把持手段（１）の向きと平行な加熱プレート（２１）の長さは、把持手段（１）の向きと垂直な加熱プレート（２１）の長さよりも長い。各アーム中の各加熱プレート（２１）は、両方が閉じられるとき、一体になる。毛髪と接触する把持手段の側面で、加熱プレート（２１）は２列の穴を有し、蒸気はその２列の穴を通って出てくる。
【００１７】
蒸気通路（３５）は、２列の穴を備える。それらの穴の列の向きは、把持手段（１）の向きと平行に配置されているため、毛髪の一分割部分にスタイリング活性物質を適用するのに効果的である。貯蔵器（６）は、スタイリング活性物質を貯蔵し、それを移送手段（４）、次いで蒸発プレート（３２）、次いで送達手段（３）の一部としての加熱チャンバ（３１）がすぐに利用できるようにする（図３Ａ）。
【００１８】
貯蔵器（６）は、貯蔵器（６）のキャップ（６１）を通して再充填できるカートリッジである。貯蔵器（６）は、プレート（１３）にフックで掛けることにより把持手段（１）に取り付けられ、貯蔵器（６）は、プレート（１３）を押圧することにより把持手段（１）から脱離される。本発明の一実施形態では、貯蔵器（６）の一部又は貯蔵器（６）全体が透けて見えるカートリッジであり、貯蔵器（６）内のスタイリング活性物質の量を見ることができる。貯蔵器（６）は、把持手段（１）中に、加熱プレート（２１）の反対側に配列される。貯蔵器（６）の向きは、把持手段（１）の向きと平行に配置される。蒸発プレート（３２）によって損失する熱は、蒸発プレート（３２）及び加熱プレート（２１）の温度低下させるため、貯蔵器（６）、移送手段（４）、及び蒸発プレート（３２）は、加熱プレート（２１）反対側の温度を低下させるのに寄与する。
【００１９】
本発明の更なる非限定的な代表的実施形態では、移送手段（４）は、スタイリング活性物質を貯蔵器（６）から蒸発手段（５）に運ぶフェルトを備える。フェルトは、貯蔵器（６）と流体連通する。フェルトは、組成物を吸上げることができるいかなる多孔質材料とすることもできる。蒸発プレート（３２）は、加熱プレート（２１）の反対側にある。フェルトは、毛管現象の効果によってスタイリング活性物質を吸収する。蒸発手段（５）では、スタイリング活性物質は移送手段（４）によって運ばれ、蒸発プレート（３２）によって蒸発する。フェルトは、加熱プレート（２１）と約１０〜約４０００ｍｍ2の接触面積を有してもよい。
【００２０】
蒸発スタイリング活性物質を適量蒸発させるため、蒸発プレート（３２）がフェルトと接触する接触面積を拡張する必要がある。スタイリング活性物質を小さい液滴に変化させるためにスタイリング活性物質を加熱する必要がある場合、蒸発手段（５）及び加熱チャンバ（３１）は、送達手段（３）の一部として存在する。スタイリング活性物質は、また、スタイリング活性物質を溶解又は分散させることができる揮発性構成成分と共に存在する必要がある。電子機器（７）は、加熱プレート（２１）及び蒸発プレート（３２）に電力を供給する。
【００２１】
図５Ａ、５Ｂ、５Ｃ、及び５Ｄは、ヒータケース（２２）、ヒータ要素（２３）、ヒータフレーム（２４）、電極プレート（２５）、絶縁プレート（２６）、プレスプレート（２７）、及びシールゴム（２８）を備えるヒータ（２０）を備える、本発明のヘアスタイリング装置の要素の非限定的な代表的実施形態を表す。ヒータケース（２２）は、接合された３本の管であり、アルミニウム製である。ヒータケース（２２）の中心の管には、ヒータの要素がある。蒸気は、ジョイントの部分から１組の穴を通って出てくる（蒸気通路（３５））。図５Ｃは、図５Ａのヒータ（２０）の長手方向分解断面図である。図５Ｄは、図５Ｂのヒータ（２０）の横方向分解断面図である。
【００２２】
加熱プレート（２１）によってプレスされる毛髪は、蒸気通路（３５）で濡れ、蒸気通路（３５）の外側にある加熱プレート（２１）で乾燥される。１対の電極プレート（２５）及び絶縁プレート（２６）は、加熱要素（２３）に対して対称に配置される。プレスプレート（２７）は、加熱要素（２３）、及び電極プレート（２５）、及び絶縁プレート（２６）を、ヒータケース（２２）の内壁の方に押圧し、各要素の境界領域での熱抵抗を小さくする。電極プレート（２５）は、加熱要素（２３）に電力を供給する。絶縁プレート（２６）は、電極プレート（２５）及び加熱要素（２３）をヒータケース（２２）から電気的に絶縁する。ヒータフレーム（２４）で、ヒータ（２０）の中心に加熱要素（２３）をセットする。ヒータ要素（２３）は、加熱プレート（２１）、及び蒸発プレート（３２）、及び蒸気通路（３５）、及びヒータ（２０）の他の要素を加熱する。
【００２３】
図６Ａ、６Ｂ、６Ｃ、及び６Ｄは、加熱チャンバ（３１）（図４Ａ）、蒸発プレート（３２）、及び蒸気通路（３５）（図４Ｂ）を備える送達手段（３）を備える本発明のヘアスタイリング装置の要素の非限定的な代表的実施形態を表し、更に、ヒータ（２０）を表す。同様に、加熱チャンバ（３１）は、チャンバシールゴム（３３）及びチャンバケース（３４）を備える。チャンバシールゴム（３３）は、蒸発プレート（３２）と移送手段（４）との間にある隙間を閉鎖する（図４Ａ参照）。チャンバケース（３４）は、チャンバシールゴム（３３）を補強する。図６Ｃは、図６Ａの送達手段（３）の長手方向分解断面図である。図６Ｄは、図６Ｂの送達手段（３）の横方向分解断面図である。
【００２４】
図７Ａ、７Ｂ、７Ｃ、及び７Ｄは、貯蔵器（６）を備える本発明のヘアスタイリング装置の要素の非限定的な代表的実施形態を表す。貯蔵器（６）は、貯蔵器ケース（６０）、キャップ（６１）及び圧力弁（６２）を備える。図７Ｃは、図７Ａに示される移送手段及び貯蔵器（６）の長手方向分解断面図である。図７Ｄは、図７Ｂに示される移送手段及び貯蔵器（６）の横方向分解断面図である。移送手段は、貯蔵器ケース（６０）の開放領域を被覆するフェルト（４０）を備える。貯蔵器（６）は、貯蔵器（６）の開口部を閉鎖し、スタイリング活性物質（６３）を添加する開口部を提供する役割をするキャップ（６１）を通して再充填できるカートリッジである。圧力弁（６２）は、ゴム製であり、傘に類似した形状を有する。フェルト（４０）に含有されるスタイリング活性物質が蒸発プレート（３２）（図４Ａ）によって蒸発すると、フェルト（４０）は、貯蔵器（６）内に存在するスタイリング活性物質を吸収し、その結果、貯蔵器（６）の内圧が低下する。フェルト（４０）が貯蔵器（６）内のスタイリング活性物質（６３）と接触する限り、フェルト（４０）はスタイリング活性物質（６３）を吸収する。圧力弁（６２）は、貯蔵器（６）の内圧が外圧より低いときだけ、開放される。圧力弁（６２）は、蒸発プレート（３２）（図４Ａ）が利用できる、従って蒸発するスタイリング活性物質の量を制御する。
【００２５】
図８Ａ及び８Ｂは、加熱要素（２３）に電力を供給する電子機器（７）を備える本発明のヘアスタイリング装置の要素の非限定的な代表的実施形態を表す。電子機器（７）は、プラグ（７１）、抵抗器（７２及び７３）、ダイオード（７４）、ＬＥＤ（７５）、ヒューズ（７６）、及びスイッチ（７７）を備える。スイッチを入れる（スイッチ（７７））と、加熱要素（２３）に電力が供給される。加熱要素（２３）は、正温度係数（ＰＴＣヒータ）である。加熱要素（２３）は、温度を自動調節するものであってよい。図８Ｂは、発熱抵抗線に電流が流れるように配置された電気配線の概略図（７０）を表す。
【００２６】
図９Ａは、加熱プレート（２１）を有する把持手段（１）の一方側当り、送達手段（３）、ピン（１１）、ばね（１２）、及び第２の貯蔵器（８）を備え、第２の貯蔵器（８）が貯蔵器（６）から分離されている、本発明のヘアスタイリング装置の非限定的な代表的実施形態を表す。第２の貯蔵器（８）内のスタイリング活性物質は、貯蔵器（６）内と同じスタイリング活性物質でなくてもよい。貯蔵器（６）内のスタイリング活性物質の蒸気は、第２の貯蔵器（８）内のスタイリング活性物質を引き出す。少なくとも一方の貯蔵器に水が存在しなければならない。送達手段（３）内で、ａ）貯蔵器（６）は、移送手段（４）、蒸発プレート（３２）及び加熱チャンバ（３１）を使用してスタイリング活性物質からミストを作り出し、ｂ）第２の貯蔵器（８）は、第２の貯蔵器（８）の貯蔵器内容物を霧状にする手段を提供する。各貯蔵器から作り出される２つの流れは、それらがヘアスタイリング装置から出てくるときにこのように合流する。図９Ｂは、本発明のヘアスタイリング装置の非限定的な代表的実施形態を表し、これは代替の送達手段（３）の断面図である。
【００２７】
図１０Ａ、１０Ｂ、１０Ｃ、及び１０Ｄは、２つのチャンバに分離されている貯蔵器（６）を備える本発明のヘアスタイリング装置の要素の非限定的な代表的実施形態を表す。第２の貯蔵器（８）は、貯蔵器（６）から分離されている。貯蔵器ケース（６０）は、貯蔵器（６）及び第２の貯蔵器（８）を備える。貯蔵器内のスタイリング活性物質（６３）は、第２の貯蔵器（８）内のスタイリング活性物質（６４）と同じではない。貯蔵器（６）及び第２の貯蔵器（８）は、それぞれ、キャップ（６１）、圧力弁（６２）を有し、それぞれ、フェルト（４０）と流体連通する。少なくとも一方の貯蔵器に水が存在しなければならない。図１０Ｃは、図１０Ａに示される本発明の一実施形態の長手方向分解断面図であり、貯蔵器（６）及び貯蔵器（８）は充填できる。図１０Ｄは、図１０Ｂに示される本発明の一実施形態の横方向分解断面図である。
【００２８】
図１１Ａ、１１Ｂ、１１Ｃ、及び１１Ｄは、再充填できない貯蔵器（６）を備える本発明のヘアスタイリング装置の要素の非限定的な代表的実施形態を表す。貯蔵器（６）は、貯蔵器ケース（６０）、圧力弁（６２）、スタイリング活性物質（６３）を備え、更にフェルトを表す。貯蔵器（６）は、スタイリング活性物質で予め充填され、ヘアスタイリング装置に挿入される。貯蔵器（６）が空のとき、貯蔵器（６）を取外し、予め充填されている別の貯蔵器（６）、又は、称される通り、使い捨てカートリッジ、若しくは再充填できないカートリッジと取替えることができる。図１１Ｃは、図１１Ａに示される再充填できないカートリッジの長手方向分解断面図を表す。図１１Ｄは、図１１Ｂに示される再充填できないカートリッジの横方向分解断面図を表す。
【００２９】
図１２Ａ、１２Ｂ、及び１２Ｃは、再充填できる貯蔵器（６）を備える本発明のヘアスタイリング装置の要素の非限定的な代表的実施形態を表す。図１２Ａは、貯蔵器ケース（６０）、圧力弁（６２）、スタイリング活性物質（６３）、第１の専用ジョイント（６５）を備える貯蔵器（６）を表し、更にフェルト（４０）を表す。貯蔵器（６）は、図１２Ｂに示されるように、スタイリング活性物質ボトル（６７）上の第２の専用ジョイント（６８）にだけ嵌合する第１の専用ジョイント（６５）を備える。貯蔵器（６）は、第２の専用ジョイント（６８）を有するボトルからだけスタイリング活性物質を再充填できる。図１２Ｂに示されるように、非連結状態では、第１のシールプレート（６６）は、スタイリング活性物質が貯蔵器（６）から漏出することを防止する。同様に、第２のシールプレート（６９）は、スタイリング活性物質がスタイリング活性物質ボトル（６７）から漏出することを防止する。第１のシールプレート（６６）及び第２のシールプレート（６９）はディスクの形状であり、それぞれ、第１のシールプレート（６６）及び第２のシールプレート（６９）の中心にあって外側に延びているボトルスティック（７８Ａ）及び貯蔵器スティック（７８Ｂ）を有する。非連結状態では、第１のシールプレート（６６）及び第２のシールプレート（６９）は、ばねの力によって押出され、それぞれ、貯蔵器（６）及びスタイリング活性物質ボトル（６７）内のスタイリング活性物質の出入口を閉鎖してもよい。
【００３０】
連結状態では、図１２Ｃに示されるように、スタイリング活性物質ボトル（６７）の第２の専用ジョイント（６８）は、貯蔵器（６）の第１のシールプレート（６６）を押圧し、第１のシールプレート（６６）のスティック（７８Ｂ）は第２のシールプレート（６９）のスティック（７８Ａ）を押圧する。このように、第１のシールプレート（６６）及び第２のシールプレート（６９）は、それぞれ、貯蔵器（６）及びスタイリング活性物質ボトル（６７）内のスタイリング活性物質の出入口を開放する。第２の専用ジョイント（６８）は、六等分されている円形の３つの部分を備える。第２の専用ジョイント（６８）が６０°の角度で回転しても、第２の専用ジョイント（６８）を第１の専用ジョイント（６５）に接合することができる。
【００３１】
本発明の更なる実施形態では、１つ以上の貯蔵器（６）が把持手段（１）のアームに内設される。本発明の更に別の実施形態では、貯蔵器（６）は、予め充填される、取外し可能なカートリッジを備える。本発明の更に別の実施形態では、貯蔵器（６）は、第１の専用ジョイント（６５）を通して再充填できる。
【００３２】
図１３Ａ及び１３Ｂは、把持手段（１）の一方のアームが、加熱手段（２）、送達手段（３）、移送手段（４）、蒸発手段（５）、貯蔵器（６）、ピン（１１）、ばね（１２）、及び電子機器（７）を備えている、本発明のヘアスタイリング装置の非限定的な代表的実施形態を表す。それと対向するアームは、加熱手段（２）を備える。ヘアスタイリング装置のこの実施形態では、スタイリング活性物質が把持手段（１）の一方側から出てくる。
【００３３】
図１４Ａは、一端でヒンジによって取り付けられる把持手段（１）を備え、更にピン（１１）及びスイッチ（７７）を備える本発明のヘアスタイリング装置の非限定的な代表的実施形態を表す。図１４Ｂは、Ｘ形のアームになるハサミ型アームの把持装置を備える把持手段（１）を備える、本発明のヘアスタイリング装置の非限定的な代表的実施形態を表す。把持手段（１）は、中央でヒンジによって取り付けられる２つのアーム、更にピン（１１）及びスイッチ（７７）を備える。
【００３４】
図１５Ａは、２列以上の穴（８０）を備え、毛髪と接触する加熱プレート（２１）を備える本発明のヘアスタイリング装置の要素の非限定的な代表的実施形態を表し、その穴（８０）から蒸気及びスタイリング活性物質が放出され、ストレートにされる毛髪と接触する。本発明の一実施形態では、穴（８０）は、約０．５ｎｍ〜約２．５ｍｍの範囲の直径を有することができる。図１５Ｂは、２列以上の溝（８１）を備える加熱プレート（２１）を備える、本発明のヘアスタイリング装置の要素の非限定的な代表的実施形態を表す。図１５Ｃは、毛髪の一分割部分にスタイリング活性物質を効果的に適用するために、把持手段（１）の向きと平行な向きにされ、配置される一列の穴（８０）を備える加熱プレート（２１）を備える、本発明のヘアスタイリング装置の要素の非限定的な代表的実施形態を表す。図１５Ｄは、本発明のヘアスタイリング装置の要素の非限定的な代表的実施形態を表し、図１５Ａ又は図１５Ｂのいずれかの点線１５Ｄに沿った横方向拡大断面図を表す。本発明の更なる実施形態では、貯蔵器（６）（図４Ａ）は、１つ以上の把持手段（１）に位置する複数列の穴（８０）又は溝（８１）を通して毛髪ストランドと流体連通する。
【００３５】
図１６Ａ、１６Ｂ、及び１６Ｃは、本発明のヘアスタイリング装置の非限定的な代表的実施形態を表し、貯蔵器（６）が取外されている状態の、図１６Ｂに示す把持手段（１）の一方側の上面図を提供する。図１６Ａは、図１６Ｂの点線１６Ａに沿った、本発明の一実施形態の長手方向断面図であり、貯蔵器が取外されている把持手段を示す。把持手段は、蒸発手段（５）、プレート（１３）、加熱プレート（２１）、加熱チャンバ（３１）、蒸発プレート（３２）、チャンバケース（３４）、蒸気通路（３５）、及びヒータ（２０）を備える。本発明のヘアスタイリング装置の更なる実施形態として、把持手段（１）は、ヒータ（２０）の各側に位置し、そこから外側に突出する複数の歯（７９）を更に有してもよい。このような複数の歯（７９）は、毛髪を分割し、把持手段（１）間で毛髪を更に整列させることを助けることができる。図１６Ｃは、図１６Ｂの点線１６Ｃに沿った横方向断面図を表す。
【００３６】
（スタイリング活性物質）
任意に添加してもよいものを含む、本発明に使用される活性物質及び組成物の構成成分、並びに調製方法及び使用方法を下に詳述する。
【００３７】
本発明のスタイリング活性物質は、いかなる既知の又はその他の有効なヘアスタイリング剤であってよく、それらは、周囲条件のもとで液体又は半固体であり、本組成物が乾いた毛髪上に適用されて、乾燥された後に液体又は半固体の状態を維持することができる。本発明のスタイリング活性物質は、毛髪に容易には浸透せず、また毛髪繊維上に残存してヘアスタイリング効果を改善し得る。これらのスタイリング活性物質は、毛髪上に残る液体被膜を提供することができ、それは、風のような力で毛髪繊維を分離させることができ、コーミング、ブラッシング、又は手櫛というようなスタイリング法を使用して再接着させることのできる、再成形可能な溶着として特徴づけられる。
本発明のスタイリング活性物質の構成成分は、以下に言及され記載される、次のいかなる物質を単独で又は組み合わせて含んでもよい。
【００３８】
Ｉ．（ポリアルキレングリコール類）
本発明では、使用するのに好適な好ましいスタイリング剤には、次式に一致するそれらのポリアルキレングリコール類が挙げられる：
【００３９】
【化１】
2005530583.tif 000003
式中、Ｒは、Ｈ、メチルなどのＣ1〜Ｃ4アルキル、及びこれらの混合物から成る群から選択される。ＲがＨであるとき、これらの物質は、ポリエチレンオキシド類、ポリオキシエチレン類、及びポリエチレングリコール類としても知られるエチレンオキシドのポリマーである。Ｒがメチルであるとき、これらの物質は、ポリプロピレンオキシド類、ポリオキシプロピレン類、及びポリプロピレングリコール類としても知られるプロピレンオキシドのポリマーである。Ｒがメチルであるとき、生成するポリマーの種々の位置異性体が存在し得ることも理解される。
【００４０】
好ましいものは、約１９０〜約１５００、好ましくは約３００〜約１２００、より好ましくは約４００〜約１０００の数平均分子量を有し、約５〜約３５、好ましくは約５〜約３０、より好ましくは約５〜約２０の繰り返しアルキレンオキシドラジカルを有し、繰り返しアルキレンオキシドラジカルのそれぞれが２〜６の炭素数を有する、水溶性ポリアルキレングリコール類である。
【００４１】
最も好ましいポリアルキレングリコール類の具体例には、Ｒがメチルであり且つｎが約４の平均値を有するＰＰＧ−４、ＲがＨであり且つｎが約８の平均値を有するＰＥＧ−８（ＰＥＧ−８はカーボワックス（Carbowax）４００としても知られ、ユニオン・カーバイド（Union Carbide）より入手可能）、ＲがＨであり且つｎが約１２の平均値を有するＰＥＧ−１２（ＰＥＧ−１２はカーボワックス６００としても知られ、ユニオン・カーバイドより入手可能）、及びＲがＨであり且つｎが約２０の平均値を有するＰＥＧ−２０（ＰＥＧ−２０はカーボワックス９００としても知られ、ユニオン・カーバイドより入手可能）が挙げられるが、これらに限定されない。
【００４２】
ＩＩ．（ポリエチレン／ポリプロピレングリコールコポリマー類）
本明細書で使用するのに好適なスタイリング剤類には、ＢＡＳＦ製のポロキサマー１２３（プルロニック（Pluronic）Ｉ−４３）のようなポリオキシエチレン／ポリオキシプロピレンブロックコポリマー類；ＢＡＳＦ製のポロキサマー１８４（プルロニックＬ−６４）；ＢＡＳＦ製のポロキサマー３３１（プルロニックＬ−１０１）；ＢＡＳＦ製のプルロニック２５Ｒ４、プルロニック２５Ｒ１のようなポリオキシプロピレン／ポリオキシエチレン／ポリオキシプロピレンコポリマー類、ＢＡＳＦ製のポロキサミン５０４（テトロニック（Tetronic）７０２）のようなエチレンジアミンのポリオキシエチレン／ポリオキシプロピレンブロックポリマー類；ＢＡＳＦ製のポロキサミン１１０１（テトロニック１１０１）；ＢＡＳＦ製のテトロニック９０Ｒ４及びこれらの組み合わせが挙げられる。
【００４３】
ＩＩＩ．（アルコキシポリエチレングリコール）
本明細書で使用するのに好適な他のスタイリング剤類には、ユニオン・カーバイド（Union Carbide）製のメトキシＰＥＧ１０（カーボワックス（Carbowax）ＭＰＥＧ５５０）；アルコキシ（メトキシ、エトキシ、プロポキシ、ブトキシ、及びペントキシを含む）ポリプロピレングリコール；アルコキシ（メトキシ、エトキシ、プロポキシ、ブトキシ、及びペントキシを含む）ポリエチレン／ポリプロピレングリコールコポリマー類及びこれらの組み合わせが挙げられる。
【００４４】
ＩＶ．（ポリアルキレングリセリルエーテル及びその誘導体類（グリセリンのポリオキシアルキレンエーテル類としても知られる））
特に好ましいものには、ポリオキシエチレングリセリルエーテル類：グリセレス−７（リポ（Lipo）製のリポニック（Liponic）ＥＧ−７）、グリセレス−１２（ＵＰＩ製のユニペグ（Unipeg）−ＥＴＧ−１２）、及びグリセレス−２０（ユニオン・カーバイド（Union Carbide）製のカーボワックス（Carbowax）ＴＰＥＧ９９０）及びこれらの組み合わせがある。
【００４５】
Ｖ．（脂肪酸のポリアルキレングリコールエステル類）
本明細書で使用するのに好適な他のスタイリング剤類には、モノエステル類及びジエステル類を含む、脂肪酸類のポリアルキレングリコールエステル類が挙げられる。このようなスタイリングには、アクゾ（Akzo）製のＰＥＧ−１０オレエート（エソファット（Ethofat）０／２０）；ロンザ（Lonza）製のＰＥＧ−８ジオレエート（ペゴスパース（Pegosperse）４００ＤＯ）；リポ（Lipo）製のＰＥＧ−１２ラウレート（リポゲル（Lipogel）６−Ｌ）；インダストリアル・キミカ（Industrial Quimica）製のＰＥＧ−８ココエート（ワグリノール（Waglinol）４８８）；ファブリキミカ（Fabriquimica）製のＰＥＧ−８ジココエート（ＲＯＬ  ＤＬ４０）；シェル（Scher）製のＰＥＧ−８ジイソステアレート（ＰＥＧ４００ジイソステアレート）；ステパン（Stepan）製のＰＥＧ−１２ジラウレート（ケスコ（Kessco）ＰＥＧ６００ジラウレート）及びこれらの組み合わせが挙げられる。
【００４６】
ＶＩ．（脂肪族アルコール類のポリアルキレングリコールエーテル）
本明細書で使用するのに好適な他のスタイリング剤には、クローダ（Croda）製のオレス−５（ボルポ（Volpo）−５）；クローダ製のオレス−１０（ボルポ−１０）；ローヌ・プーラン（Rhone-Poulenc）製のラウレス−７（ローダサーフ（Rhodasurf）Ｌ−７−９０）；ロンザ（Lonza）製のラウレス−１２（エソスパース（Ethosperse）ＬＡ−１２）及びこれらの組み合わせが挙げられる。
【００４７】
ＶＩＩ．（脂肪酸類のポリアルキレングリセリルエステル）
本明細書で使用するのに好適な更に他のスタイリング剤類には、脂肪酸類のポリアルキレングリセリルエステル（モノエステル類、ジエステル類、及びトリエステル類（trimesters）を含む）、フェニックス（Phoenix）製のグリセレス−５ラクテート（ペレモル（Pelemol）Ｇ４５Ｌ）；アルゾ（Alzo）製のグリセレス−７トリアセテート（ダーモル（Dermol）ＧＬ−７Ａ）；ゴールドスミス（Goldsmith）製のＰＥＧ−７グリセリルココエート（テゴソフト（Tegosoft）ＧＣ）；ＰＥＧ−１２グリセリルラウレート（ユニバイオビット（Unibiovit）Ｂ−３３２ＷＳ）；日本（Nihon）製のＰＥＧ−５グリセリルトリイソステアレート（エマレックス（Emalex）ＧＷＩＳ−３０５）及びこれらの組み合わせが挙げられる。
【００４８】
ＶＩＩＩ．（グリセリルアルキレート）
本明細書で使用するのに好適な更に他のスタイリング剤類には、グリセリルアルキレート類（モノエステル、ジエステル、及びトリエステル類を含む、グリセリンと脂肪酸類のエステル、グリセリド）、ヴェヴィー（Vevy）製のグリセリルアジペート（トリオキセン（Trioxene）Ａ）；イノレックス（Inolex）製のグリセリルジラウレート（レクセマル（Lexemul）ＧＤＬ）；プロタミーン（Protameen）製のグリセリルラウレート（プロタケム（Protachem）ＭＬＤ）；ラウリン酸／パルミチン酸／オレイン酸トリグリセリド及びこれらの組み合わせが挙げられる。
【００４９】
ＩＸ．（グリコールアルキレート）
本明細書で使用するのに好適な更に他のスタイリング剤類には、グリコールアルキレート（モノエステル類、ジエステル類を含む、アルキレングリコールと脂肪酸のエステル類）が挙げられる。好ましいものには、エチレングリコールと脂肪酸類のエステル類、ウィトコ（Witco）製のグリコールジラウレート（ケメスター（Kemester）ＥＧＤＬ）；グリコールオレエート；チャイメックス（Chimex）製のラウリルグリコール（メキサニル（Mexanyl）ＧＵ）及びこれらの組み合わせがある。
【００５０】
Ｘ．（ポリグリセロール（グリセロールとグリセロール自体のエーテル、ポリグリセリン類））
本明細書で使用するのに好適な更に他のスタイリング剤類には、ヘキサグリセロール；デカグリセロール；トリグリセリン、及びこれらの混合物、及び／又はそれらの誘導体、及びこれらの組み合わせが挙げられる。
【００５１】
ＸＩ．（ポリグリセロールエステル）
本明細書で使用するのに好適な更に他のスタイリング剤類には、ポリグリセロールエステル類（モノエステル類、ジエステル類、及びトリエステル類を含む）、デカグリセロールモノステアレート；デカグリセロールヘキサオレエート；トリグリセロールモノリノレエート；トリグリセロールトリリノレエート及びこれらの組み合わせが挙げられる。
【００５２】
ＸＩＩ．（可溶性／分散性不揮発性シリコーンコポリオール類）
本明細書で使用するのに好適なものには、エチレン及び／又はプロピレンオキシドの濃度が、組成物中に溶解できるのに十分である、可溶性／分散性不揮発性シリコーンコポリオール類が挙げられる。
【００５３】
Ａ．好適な例には、ジメチコーンコポリオール類、例えば、ポリエーテルシロキサン変性ポリマー類、例えば、ポリエチレンオキシド変性ポリジメチルシロキサン、例えばノベオン（Noveon）製のＰＥＧ−８ジメチコーン（ウルトラシル（Ultrasil）コポリオール−７）及びこれらの組み合わせが挙げられる。
Ｂ．ジメチコーンコポリオールエステル類、例えば、ノベオン（Noveon）製のジメチコーンＰＥＧ−７ココエート（ウルトラシル（Ultrasil）ＳＷ−１２）
脂肪族アルコール類のポリアルキレングリセリルエーテル、グリセリンと脂肪族アルコールのエーテルを含むグリセリルアルキルエーテル、及びこれらの混合物を、追加の有用なスタイリング活性物質類として本発明に含むことができる。
【００５４】
本明細書に記載される脂肪酸類は全て、飽和又は不飽和；直鎖、分枝状又は環状とすることができる。同様に、本明細書に記載される脂肪族アルコール類は全て、飽和又は不飽和；直鎖、分枝状又は環状とすることができる。
【００５５】
本発明のスタイリング活性物質は、組成物の約０．１重量％〜約９０重量％、好ましくは約１重量％〜約３０重量％、より好ましくは約２重量％〜約１５重量％含まれてもよい。蒸発が使用される場合、スタイリング活性物質を溶解又は分散させる揮発性キャリアが必要である。毛髪にスタイリング活性物質を運ぶ小さい液滴を作り出すため、蒸発プレート（３２）からの熱と共にキャリアが必要である。本発明の好ましいキャリアは水である。水が揮発性キャリアの場合、一方側当り１つの貯蔵器で十分となり得る。水が、使用される好ましいキャリアではない場合、一方側当り２つの貯蔵器を必要としてもよく、その場合、１つの貯蔵器はスタイリング活性物質を備え、別の貯蔵器は水（蒸気）を備える。
【００５６】
本発明により送達されてもよい水は、両側全部に対して約０．０２〜約４ｇ／分のスタイリング装置送達に等しい、スタイリング装置の一方側当り約０．０１〜２ｇ／分、好ましくは、両側全部に対して約０．２〜約２ｇ／分のスタイリング装置送達に等しい、一方側当り約０．１〜１ｇ／分、より好ましくは、両側全部に対して約０．３〜約０．８ｇ／分のスタイリング装置送達に等しい、一方側当り約０．１５〜０．４ｇ／分であってもよい。
【００５７】
本発明のスタイリング活性物質の液滴サイズは、体積の９０％が指定されるマイクロメータサイズ以下の液滴によって形成される、Ｄｖ（９０）値に従って測定する。本発明では、Ｄｖ（９０）は、約３０μｍ未満、好ましくは約２０μｍ未満、より好ましくは約１２μｍ未満とすることができる。液滴サイズ値は、インサイテック測定系（Insitec Measurement System）に従って測定した。
【００５８】
一実施形態においてスタイリング組成物は、キャリアと組み合わせたスタイリング活性物質から成るが、本発明によるスタイリング組成物の送達速度は、両側全部に対して約０．１〜約４ｇ／分のスタイリング装置送達に等しい、一方側当りスタイリング活性物質を約０．０５〜約２ｇ／分、好ましくは両側全部に対して約０．２〜約２ｇ／分のスタイリング装置送達に等しい、一方側当りスタイリング活性物質を約０．１〜約１ｇ／分、より好ましくは両側全部に対して約０．３〜約０．８ｇ／分のスタイリング装置送達に等しい、一方側当りスタイリング活性物質を約０．１５〜約０．４ｇ／分であってもよい。
【００５９】
（揮発性キャリア）
本発明では、液体キャリアが、前述のスタイリング活性物質類を溶解又は分散させることを助けてもよい。選択されるスタイリング活性物質が選択される液体キャリアに十分に混和または分散できるのであれば、液体キャリアは、１種類以上の液体キャリアを含むことができる。
【００６０】
組成物中の液体キャリアの総濃度は、選択される液体キャリアの種類、液体キャリアと組み合わせて使用されるスタイリング活性物質の種類、及び選択されるスタイリング活性物質の選択される液体キャリア中における溶解度などによって変わる。液体キャリアの好ましい総濃度は、組成物の約１０重量％〜約９９．９重量％、好ましくは約７０重量％〜約９９重量％、より好ましくは約８５重量％〜約９８重量％の範囲である。
【００６１】
本発明の組成物に使用するのに好適な液体キャリアは、揮発性液体キャリア物質である。この状況において、「揮発性」という用語は、約２６０℃未満、好ましくは約５０〜約２６０℃、より好ましくは約６０〜約１５０℃（約１気圧で）の沸点を有する物質のことをいう。
【００６２】
揮発性液体キャリアの非限定例として、水、Ｃ1〜Ｃ6アルカノール類のような有機溶媒、及びこれらの組み合わせが挙げられる。好適なＣ1〜Ｃ6アルカノール類の具体例には、エタノール、ｎ−プロパノール、イソプロパノール、ｎ−ブタノール、アミルアルコール、及びこれらの混合物が挙げられるが、これらに限定されない。好ましいＣ1〜Ｃ6アルカノール類には、エタノール、イソプロパノール、及びこれらの混合物のようなＣ2〜Ｃ4の一価アルコール類が挙げられる。水は好ましい揮発性液体キャリアである。
【００６３】
また、本組成物に使用するのに適切な疎水性溶媒には、以下に限定されないが、揮発性シリコーン類、分枝鎖炭化水素類、及びこれらの混合物が挙げられる。本明細書の揮発性疎水性溶媒として有用な疎水性分枝鎖炭化水素類には、以下に限定されないが、約７〜約１４、より好ましくは約１０〜約１３、及び最も好ましくは約１１〜約１２個の炭素原子を含有するものが挙げられる。飽和炭化水素類が好ましいが、不飽和炭化水素類の除外を意図するものではない。このような好ましい分枝鎖炭化水素類の例には、前記の鎖サイズのイソパラフィン類が挙げられる。イソパラフィン類の具体例には、イソパール（Isopar）Ｅ（Ｃ8〜Ｃ9イソパラフィン類）、イソパールＨ及びＫ（Ｃ11〜Ｃ12イソパラフィン類）、及びイソパールＬ（Ｃ11〜Ｃ13イソパラフィン類）又はこれらの混合物（これらは全てエクソンケミカル社（Exxon Chemical Co.）から市販）が挙げられる。他の適切な分枝鎖炭化水素類は、イソドデカン及びイソヘキサデカンである。イソドデカンが好ましく、プレスパース社（Presperse,Inc.）からパーメチル（Permethyl）ＴＭ９９Ａとして市販されている。
【００６４】
揮発性疎水性溶媒として有用な好ましいシリコーン類には、これらに限定されないが、フェニルペンタメチルジシロキサン、フェニルエチルペンタメチルジシロキサン、ヘキサメチルジシロキサン、メトキシプロピルヘプタメチルシクロテトラシロキサン、クロロプロピルペンタメチルジシロキサン、ヒドロキシプロピルペンタメチルジシロキサン、オクタメチルシクロテトラシロキサン、デカメチルシクロペンタシロキサンなどの揮発性シロキサン類、及びこれらの混合物が挙げられる。揮発性シリコーン類の中でより好ましいのは、ヘキサメチルジシロキサン及びシクロメチコン類であり、これらの例には、一般的にそれぞれＤ４及びＤ５シクロメチコンと呼ばれるオクタメチルシクロテトラシロキサン及びデカメチルシクロペンタシロキサンが挙げられる。
【００６５】
好ましい揮発性シリコーン類の他の例には、以下に限定されないが、シクロペンタシロキサン（ゼネラル・エレクトリック社（General Electric Co.）からＳＦ１２０２として市販）、ヘキシルメチコン（アーキミカ（Archimica）からシルケア（Silcare）４１Ｍ１０として市販）、カプリリルメチコン（アーキミカからシルケア４１Ｍ１５として市販）、ステアロキシトリメチルシラン及びこれらの混合物が挙げられる。
【００６６】
（任意成分）
上述の構成成分に加えて、任意成分に物理的且つ化学的に上述の構成成分と適合性があれば、又はそうでなければ過度に製品安定性、美観若しくは性能を損なわないのであれば、本発明の組成物（活性剤＋キャリア）は、ヘアケア又はパーソナルケア製品に使用する、既知の又はその他の有効な１つ以上の任意成分を更に含んでもよい。このような任意成分の非限定例は、「国際化粧品成分事典（International Cosmetic Ingredient Dictionary）」、第５版（１９９３年）、及び「ＣＴＦＡ化粧品成分ハンドブック（Cosmetic Ingredient Handbook）」、第２版（１９９２年）に開示されており、これらは共にその内容全体を本明細書に参考として組み込まれる。
【００６７】
本発明の組成物は、乳化剤類、界面活性剤類、コンディショニング活性物質類（保湿剤類、皮膚軟化剤類）、日焼け止め剤類、抗フリーラジカル剤類、金属イオン封鎖剤類、酸化防止剤類、保存剤類、酸性化又は塩基性化剤類、芳香剤類、色素類、変性又は非変性不揮発性シリコーン類、還元剤類のような、化粧品分野で慣用の補助剤を含有することができる。これらの様々な補助剤類の量は、考慮される分野において通常使用される量である。
【００６８】
本発明は、一部の実施形態において、ヘアケア又はパーソナルケア製品での使用に既知の又はその他の有効な追加の任意成分を更に含んでもよい。このような任意成分の濃度は、通常、組成物の０〜約２５重量％、より典型的には約０．０５重量％〜約２５重量％、更により典型的には約０．１重量％〜約１５重量％の範囲である。このような任意成分はまた、物理的且つ化学的に本明細書に記載される必須構成成分と適合性を有するものでなければならず、そうでなければ過度に製品の安定性、美観、又は性能を損なうべきではない。
【００６９】
（製造方法）
本発明の組成物は、結果として得られる組成物が本明細書に記載される優れたスタイリング効果を提供するのであれば、組成物を提供するのに好適ないかなる既知の、又はそうでなければ有効な技術によっても調製されることができる。本発明の実施形態を調製する方法には、慣用的な配合及び混合方法が含まれる。
【００７０】
本発明のヘアスタイリング装置は、本明細書に記載される優れたスタイリング効果を提供する装置を提供するのに好適な、いかなる既知の、又はそうでなければ有効な技術によっても調製されることができる。本発明の実施形態を調製する方法には、慣用的な製造方法が含まれる。本発明の更なる実施形態として、ヘアスタイリング装置の製造プロセスで使用されてもよい材料には、以下に限定されないが、耐熱性プラスチックであるＰＥＴ（ＰＥＴは、例えば、外部ハウジングに使用されてもよい）、耐熱性プラスチック及び透明プラスチックであるＰＣ（ＰＣは、例えば、貯蔵器ケースに使用されてもよい）、耐熱性プラスチック及び耐薬品性プラスチックであるＰＰＳ（ＰＰＳは、例えば、チャンバケースに使用されてもよい）、及び耐衝撃性プラスチックであるＡＢＳ（ＡＢＳは、例えば、装置の外部部品に使用されてもよい）が挙げられる。当該技術分野で既知のように、耐熱性に関して、ＰＰＳはプラスチックでは最も高い耐熱性を有し、耐熱性が高い順にＰＰＳ＞ＰＥＴ＞ＰＣ＞ＡＢＳである。本発明の実施形態は、必要に応じて、適切で好適なプラスチックを使用することができる。
【００７１】
本発明のヘアスタイリング装置の非限定的な代表的実施形態は、長さ約２００〜３００ｍｍ、把持手段１つ当りの高さ約１０〜４０ｍｍ、及び幅約４５〜７５ｍｍとなり得るヘアスタイリング装置を含んでもよい。
【００７２】
（使用方法）
本発明は、毛髪をストレートにする方法であって、ストレートにされる毛髪は把持手段間を張力がかかった状態で通過し、把持手段は、加熱手段と、不揮発性化合物を含むスタイリング活性物質とを提供し、スタイリング活性物質は液滴として送達される。更なる実施形態では、本発明は、熱及び約３０μｍ未満のＤｖ（９０）を有する液滴として送達される不揮発性スタイリング活性物質の存在下で、使用者の頭皮部位の毛髪ストランドをストレートにする方法を含み、本発明のヘアスタイリング装置の把持手段間で、毛髪ストランドを摺動可能に把持することと、頭皮部位から離れる方向に、ストランドに沿って装置を引くことにより、毛髪ストランドに張力をかけることと、毛髪ストランドを解放し、任意に工程（ａ）及び（ｂ）を繰り返すこととを備える。
【実施例】
【００７３】
以下の実施例は、本発明の範囲内の実施形態を更に記載し明示する。これらの実施例は単に説明の目的だけで示されており、本発明の精神及び範囲から逸脱することなく本発明の多くの変形が可能であるため、本発明を限定するものとして解釈すべきではない。例示する濃度は全て、別途明記しない限り、重量パーセントである。
【００７４】
（実施例Ｉ−ＶＩＩＩ）
次の実施例Ｉ〜ＶＩＩＩは、本発明の組成物について記載している。例に挙げる各組成物は、列記する構成成分を全て組み合わせ、その組み合わせたものが均質になるまで混合することにより調製される。得られる液体混合物を貯蔵容器に充填し、装置に装填する。例示する各毛髪用組成物では、滑らかでストレートにする効果が改善され、より長持ちする。
【００７５】
【表１】
2005530583.tif 000004
１−ユニオン・カーバイド（Union Carbide）から入手可能なカーボワックス（Carbowax）４００
２−ユニオン・カーバイド（Union Carbide）から入手可能なカーボワックス（Carbowax）６００
３−ユニオン・カーバイド（Union Carbide）から入手可能なカーボワックス（Carbowax）９００
４−ゼネラル・エレクトリック（General Electric）から入手可能なＳＦ９６−３５０
５−ウィトコ（Witco）から入手可能なシルウェット（Silwet）Ｌ−７７
６−ＵＰＩ製のユニペグ（Unipeg）ＥＴＧ−１２
７−ＢＡＳＦ製のプルロニック（Pluronic）Ｌ−６４
８−リポ（Lipo）製のリポゲル（Lipogel）６−Ｌ
【００７６】
【表２】
2005530583.tif 000005
９−エクソン・モービル（Exxon Mobil）製のイソパール（Isopar）Ｌ
１０−クローダ（Croda）製のボルポ（Volpo）−５
１１−ＵＰＩ製のユニコル（Unicol）Ｐ−２０００
１２−ノベオン（Noveon）製のウルトラシル（Ultrasil）ＳＷ−１２
１３−アクゾ（Akzo）製のエソファット（Ethofat）０／２０
１４−シェル（Scher）製のＰＥＧ４００ジイソステアレート
【００７７】
実施例Ｉ−ＶＩＩは、スタイリング装置の一方側当り１つ又は２つの貯蔵器で実行することができる。
実施例ＶＩＩＩは、スタイリング装置の一方側当り２つの貯蔵器を必要としてもよい。
実施例Ｉ−ＶＩＩＩに説明する組成物は、本発明の具体的な実施形態を明らかにしたものであるが、これらに限定することを意図するものではない。
【００７８】
例示する全ての組成物は、慣用的な配合及び混合技術によって調製できる。構成成分の量は、重量パーセントで列記され、希釈液、充填剤などのような微量物質は含まない。そのため、列記する配合物は、列挙した構成成分及びこのような構成成分に関連する微量物質を含む。
【００７９】
以上、本発明の様々な実施形態を示し説明したが、本発明の範囲を逸脱することなく当業者により適切な修正を加えて、本明細書に記載するような本発明の更なる変更を行うことができる。これらの可能性のある変更及び代替については既に説明したものもあり、その他の変更及び代替は当業者には明白であろう。例えば、発明システムの代表的実施形態を説明の目的で検討したが、記載されている要素は、技術的な進歩により絶えず更新され、改善され得ることを理解されたい。それ故に、本発明の範囲は添付の請求項に関して考察されるべきであり、明細書及び図面に示され、記載される構造、操作又はプロセス工程の詳細事項に限定されないことが理解される。
【図面の簡単な説明】
【００８０】
【図１Ａ】把持手段を備える本発明によるヘアスタイリング装置の側面斜視図。
【図１Ｂ】把持手段を備える本発明によるヘアスタイリング装置の正面斜視図。
【図２Ａ】線Ａの方向に張力がかかった状態で把持手段間を通過することによりストレートにされた後の、ウェーブのかかった毛髪を示す、本発明によるヘアスタイリング装置の使用を示す側面斜視図。
【図２Ｂ】ストレートにされる毛髪が線Ａの方向に張力がかかった状態で把持手段間を通過している、本発明によるヘアスタイリング装置の使用を示す正面斜視図。
【図３Ａ】本発明によるヘアスタイリング装置の長手方向断面図。
【図３Ｂ】図３Ａの点線３Ｂに沿った、横方向拡大断面図。
【図４Ａ】本発明によるヘアスタイリング装置の長手方向断面図。
【図４Ｂ】図４Ａの点線４Ｂに沿った、横方向拡大断面図。
【図５Ａ】本発明による加熱手段の長手方向断面図。
【図５Ｂ】本発明による加熱手段の横方向断面図。
【図５Ｃ】本発明による加熱手段の長手方向分解断面図。
【図５Ｄ】本発明による加熱手段の横方向分解断面図。
【図６Ａ】本発明による送達手段の長手方向断面図。
【図６Ｂ】本発明による送達手段の横方向断面図。
【図６Ｃ】本発明による送達手段の長手方向分解断面図。
【図６Ｄ】本発明による送達手段の横方向分解断面図。
【図７Ａ】本発明による、フェルト及び貯蔵器を備える移送手段の長手方向断面図。
【図７Ｂ】本発明による、フェルト及び貯蔵器を備える移送手段の横方向断面図。
【図７Ｃ】本発明による、フェルト及び貯蔵器を備える移送手段の長手方向分解断面図。
【図７Ｄ】本発明による、フェルト及び貯蔵器を備える移送手段の横方向分解断面図。
【図８Ａ】本発明による電子機器の長手方向断面図。
【図８Ｂ】本発明による、発熱抵抗ワイヤに電流が流れるように配置されている電子配線の概略図。
【図９Ａ】本発明のヘアスタイリング装置が、第２の貯蔵器と代替の送達手段とを備える把持手段を備える、本発明の一実施形態の長手方向断面図。
【図９Ｂ】代替の送達手段の本発明の一実施形態の断面図。
【図１０Ａ】貯蔵器が、２つのチャンバと２種類の組成物とを有する貯蔵器の異なる部位から充填できる、本発明の一実施形態の長手方向断面図。
【図１０Ｂ】貯蔵器が、２つのチャンバと２種類の組成物とを有する貯蔵器の異なる部位から充填できる、本発明の一実施形態の横方向断面図。
【図１０Ｃ】貯蔵器が、２つのチャンバと２種類の組成物とを有する貯蔵器の異なる部位から充填できる、本発明の一実施形態の長手方向分解断面図。
【図１０Ｄ】貯蔵器が、２つのチャンバと２種類の組成物とを有する貯蔵器の異なる部位から充填できる、本発明の一実施形態の横方向分解断面図。
【図１１Ａ】再充填できないカートリッジを備える本発明の一実施形態の長手方向断面図。
【図１１Ｂ】再充填できないカートリッジを備える本発明の一実施形態の横方向断面図。
【図１１Ｃ】再充填できないカートリッジを備える本発明の一実施形態の長手方向分解断面図。
【図１１Ｄ】再充填できないカートリッジを備える本発明の一実施形態の横方向分解断面図。
【図１２Ａ】再充填できる貯蔵器を備える本発明の一実施形態の長手方向断面図。
【図１２Ｂ】連結されていないときの、再充填できる貯蔵器を備える本発明の一実施形態の斜視図。
【図１２Ｃ】連結されているときの、再充填できる貯蔵器を備える本発明の一実施形態の斜視図。
【図１３Ａ】液体が把持手段の一方側から送達される把持手段を備える、本発明によるヘアスタイリング装置の一実施形態の長手方向断面図。
【図１３Ｂ】液体が把持手段の一方側から送達される把持手段を備える、本発明によるヘアスタイリング装置の一実施形態の横方向断面図。
【図１４Ａ】２つのアームの一端で取り付けられている把持手段を備える本発明の一実施形態の斜視図。
【図１４Ｂ】２つのアームの中央で取り付けられている把持手段を備える本発明の一実施形態の斜視図。
【図１５Ａ】加熱プレート及び複数列の穴を備える、本発明の一実施形態の斜視図。
【図１５Ｂ】加熱プレート及び複数列の溝を備える、本発明の一実施形態の斜視図。
【図１５Ｃ】加熱プレート及び一列の穴を備える、本発明の一実施形態の斜視図。
【図１５Ｄ】図１５Ａ又は図１５Ｂのいずれかの点線１５Ｄに沿った、横方向拡大断面図。
【図１６Ａ】貯蔵器が取外された把持手段を備えるヘアスタイリング装置を示す、図１６Ｂの点線１６Ａに沿った、本発明の一実施形態の長手方向断面図。
【図１６Ｂ】貯蔵器が取外された把持手段を備えるヘアスタイリング装置を示す、本発明の一実施形態の上面図。
【図１６Ｃ】図１６Ｂの点線１６Ｃに沿った横方向断面図。
【図１Ａ】
2005530583.tif 000006
【図１Ｂ】
2005530583.tif 000007
【図２Ａ】
2005530583.tif 000008
【図２Ｂ】
2005530583.tif 000009
【図３Ａ】
2005530583.tif 000010
【図３Ｂ】
2005530583.tif 000011
【図４Ａ】
2005530583.tif 000012
【図４Ｂ】
2005530583.tif 000013
【図５Ａ】
2005530583.tif 000014
【図５Ｂ】
2005530583.tif 000015
【図５Ｃ】
2005530583.tif 000016
【図５Ｄ】
2005530583.tif 000017
【図６Ａ】
2005530583.tif 000018
【図６Ｂ】
2005530583.tif 000019
【図６Ｃ】
2005530583.tif 000020
【図６Ｄ】
2005530583.tif 000021
【図７Ａ】
2005530583.tif 000022
【図７Ｂ】
2005530583.tif 000023
【図７Ｃ】
2005530583.tif 000024
【図７Ｄ】
2005530583.tif 000025
【図８Ａ】
2005530583.tif 000026
【図８Ｂ】
2005530583.tif 000027
【図９Ａ】
2005530583.tif 000028
【図９Ｂ】
2005530583.tif 000029
【図１０Ａ】
2005530583.tif 000030
【図１０Ｂ】
2005530583.tif 000031
【図１０Ｃ】
2005530583.tif 000032
【図１０Ｄ】
2005530583.tif 000033
【図１１Ａ】
2005530583.tif 000034
【図１１Ｂ】
2005530583.tif 000035
【図１１Ｃ】
2005530583.tif 000036
【図１１Ｄ】
2005530583.tif 000037
【図１２Ａ】
2005530583.tif 000038
【図１２Ｂ】
2005530583.tif 000039
【図１２Ｃ】
2005530583.tif 000040
【図１３Ａ】
2005530583.tif 000041
【図１３Ｂ】
2005530583.tif 000042
【図１４Ａ】
2005530583.tif 000043
【図１４Ｂ】
2005530583.tif 000044
【図１５Ａ】
2005530583.tif 000045
【図１５Ｂ】
2005530583.tif 000046
【図１５Ｃ】
2005530583.tif 000047
【図１５Ｄ】
2005530583.tif 000048
【図１６Ａ】
2005530583.tif 000049
【図１６Ｂ】
2005530583.tif 000050
【図１６Ｃ】
2005530583.tif 000051
【国際調査報告】
2005530583.tif 000052
2005530583.tif 000053
2005530583.tif 000054